(57)【特許請求の範囲】
【請求項１】
隣接する建造物の床相互間の目地に差し渡されて該目地を覆うカバー体の一端が、一方の床の側縁に連結手段を介して連結されるとともに、該カバー体の他端を自由端とし、該自由端が他方の床の側縁に摺動可能に乗載されてなる床用目地カバー装置において、前記カバー体の一端が連結される一方の床の側縁に目地方向に沿って配設されて、該カバー体の一端を支承する水平受縁を備えた保持受枠と、
他方の床の側縁に目地方向に沿って配設されて、カバー体の自由端を支承する水平受縁を備えた摺動受枠とを
受枠固定用治具により施工時に固定する固定構造であって、
受枠固定用治具は、  
保持受枠の水平受縁と摺動受枠の水平受縁とに上方から宛がわれる所定長さの杆状治具本体と、保持受枠の水平受縁と摺動受枠の水平受縁とに上方から宛がわれた杆状治具本体の所定位置に保持受枠と摺動受枠とを夫々固定する、上方から着脱操作可能な固定具を具備する固定手段とを備え
該固定手段は、杆状治具本体に形成された挿通孔と、溝を介して対向する上部片と下部片とにより断面略Ｕ字形に形成され、上部片に螺進作用を介して溝内に出没する固定ピンが上下方向に螺装された固定具とからなり、
前記挿通孔から挿通して杆状治具本体の下面側に配置した下部片を保持受枠の水平受縁または摺動受枠の水平受縁の下面に宛がった状態で、固定ピンを螺進させることにより、該固定ピンの先端と下部片との間に、挿通孔の口縁部と保持受枠の水平受縁または摺動受枠の水平受縁とを挟持して固定するようにしたものである
ことを特徴とする床用目地カバー装置における受枠固定用治具を用いた固定構造。
【発明の詳細な説明】
【技術分野】
【０００１】
本発明は、床用目地カバー装置のカバー体を支承する受枠を、施工時に固定するために用いる受枠固定用治具に関する。
【背景技術】
【０００２】
緩衝機能を備えた免震装置によって下部が支持された建物にあっては、地震時における水平方向の揺れが大きくなる傾向がある。このような免震構造の建物の周囲には、隣接する人工地盤との間に、前記揺れを吸収し得る比較的広幅の目地が形成されており、かかる免震構造の建物の目地に好適に使用し得る床用目地カバー装置が、本願出願人によって既に提案されている（例えば、特許文献１参照）。
【０００３】
かかる床用目地カバー装置は、図１４に示すように、建物としての建造物Ａの床ｆ1 と、該床ｆ1 に目地ｓを介して隣接する人工地盤としての建造物Ｂの床ｆ2 との間に差し渡されて前記目地ｓを覆うカバー体Ｃの一端が、一方の床ｆ1 の側縁に連結手段ａを介して連結されるとともに、該カバー体Ｃの他端を自由端とし、該自由端が他方の床ｆ2 の側縁に摺動可能に乗載されている。また、前記カバー体Ｃの一端が連結される一方の床ｆ1 の側縁には、該カバー体Ｃの一端を支承する水平受縁ｃを備えた保持受枠ｂが目地ｓ方向に沿って配設されており、他方の床ｆ2 の側縁には、カバー体Ｃの自由端を支承する水平受縁ｅを備えた摺動受枠ｄが目地ｓ方向に沿って配設されている。
【０００４】
この床用目地カバー装置は、地震時において、建造物Ａと、隣接する建造物Ｂとが近接する方向に相対変位した場合に、カバー体Ｃの自由端に形成された傾斜端縁ｇが、摺動受枠ｄの外端側に形成された傾斜受縁ｈに沿ってずれ上がり、連結手段ａを支点としてカバー体Ｃが傾動することによって、その相対変位から逃げることができるようになっている。
【特許文献１】特開２０００−６４４４１号公報（図１）
【発明の開示】
【発明が解決しようとする課題】
【０００５】
ところで、上述したカバー体Ｃを支承する保持受枠ｂと摺動受枠ｄは、製造工場において別体で製作されている。また、摺動受枠ｄは、図１５，図１６に示すように、目地ｓの幅方向に沿って分割された分割受枠ｄ1 ，ｄ2 と、その下面に配設されたＬ形アングルからなる連結杆を兼ねた複数のアンカーｊとが溶接を介して一体に組み付けられており、該分割受枠ｄ1 ，ｄ2 間に形成される開口部ｋによって、施工時における摺動受枠ｄの下部へのモルタル打設が容易となるようにしている。
【０００６】
そして、カバー体Ｃとともに出荷される保持受枠ｂと摺動受枠ｄは、施工に際して、床ｆ1 ，ｆ2 を構成するスラブコンクリートｍ1 ，ｍ2 （図１４参照）上の同一高さ位置に保持された状態で、該スラブコンクリートｍ1 ，ｍ2 に立設された差筋ｎに、摺動受枠ｄのアンカーｊと保持受枠ｂに設けられたアンカーｐとを夫々溶接を介して接合した後、保持受枠ｂと摺動受枠ｄの下部及び周囲にモルタルｒを打設して床ｆ1 ，ｆ2 を仕上げることにより、該床ｆ1 ，ｆ2 の側縁上に保持受枠ｂと摺動受枠ｄとを配設するようにしている。
【０００７】
かかる施工にあって、保持受枠ｂと摺動受枠ｄは、その各水平受縁ｃ，ｅを同一平面上に位置させて配設する必要があるが、保持受枠ｂと摺動受枠ｄが別体であるため、該保持受枠ｂと摺動受枠ｄとをスラブコンクリートｍ1 ，ｍ2 （図１４参照）上の同一高さ位置に保持するに際して、両者のレベル調整が難しく、作業に手間が掛かるという問題があった。また、摺動受枠ｄを構成する分割受枠ｄ1 ，ｄ2 と、Ｌ形アングルからなる連結杆を兼ねた複数のアンカーｊとが溶接を介して一体に組み付けられているため、出荷の搬送時において嵩張ってしまい、取扱い性が悪いという問題点があった。
【０００８】
本発明は、かかる従来の問題点を解消し得る床用目地カバー装置における受枠固定用治具を提供することを目的とするものである。
【課題を解決するための手段】
【０００９】
本発明は、隣接する建造物の床相互間の目地に差し渡されて該目地を覆うカバー体の一端が、一方の床の側縁に連結手段を介して連結されるとともに、該カバー体の他端を自由端とし、該自由端が他方の床の側縁に摺動可能に乗載されてなる床用目地カバー装置において、前記カバー体の一端が連結される一方の床の側縁に目地方向に沿って配設されて、該カバー体の一端を支承する水平受縁を備えた保持受枠と、
他方の床の側縁に目地方向に沿って配設されて、カバー体の自由端を支承する水平受縁を備えた摺動受枠とを
受枠固定用治具により施工時に固定する固定構造であって、
受枠固定用治具は、  
保持受枠の水平受縁と摺動受枠の水平受縁とに上方から宛がわれる所定長さの杆状治具本体と、保持受枠の水平受縁と摺動受枠の水平受縁とに上方から宛がわれた杆状治具本体の所定位置に保持受枠と摺動受枠とを夫々固定する、上方から着脱操作可能な固定具を具備する固定手段とを備え
該固定手段は、杆状治具本体に形成された挿通孔と、溝を介して対向する上部片と下部片とにより断面略Ｕ字形に形成され、上部片に螺進作用を介して溝内に出没する固定ピンが上下方向に螺装された固定具とからなり、
前記挿通孔から挿通して杆状治具本体の下面側に配置した下部片を保持受枠の水平受縁または摺動受枠の水平受縁の下面に宛がった状態で、固定ピンを螺進させることにより、該固定ピンの先端と下部片との間に、挿通孔の口縁部と保持受枠の水平受縁または摺動受枠の水平受縁とを挟持して固定するようにしたものである
ことを特徴とする床用目地カバー装置における受枠固定用治具を用いた固定構造である。
【００１０】
ここで、受枠固定用治具の杆状治具本体は、保持受枠と摺動受枠とを固定するに際して複数個が用いられ、保持受枠と摺動受枠の長手方向に沿って所定間隔で離間させて配設される。
【００１１】
かかる床用目地カバー装置における受枠固定用治具にあって、前記固定手段が、杆状治具本体に形成された挿通孔と、溝を介して対向する上部片と下部片とにより断面略Ｕ字形に形成され、上部片に螺進作用を介して溝内に出没する固定ピンが上下方向に螺装された固定具とからなり、前記挿通孔から挿通して杆状治具本体の下面側に配置した下部片を保持受枠の水平受縁または摺動受枠の水平受縁の下面に宛がった状態で、固定ピンを螺進させることにより、該固定ピンの先端と下部片との間に、挿通孔の口縁部と保持受枠の水平受縁または摺動受枠の水平受縁とを挟持して固定するようにした構成が提案される。
【００１２】
また、前記摺動受枠が、目地幅方向に沿って複数個に分割されている構成が提案される。
【発明の効果】
【００１３】
本発明は、上述したように、保持受枠の水平受縁と摺動受枠の水平受縁とに上方から宛がわれる所定長さの杆状治具本体と、保持受枠の水平受縁と摺動受枠の水平受縁とに上方から宛がわれた杆状治具本体の所定位置に保持受枠と摺動受枠とを夫々固定する、上方から着脱操作可能な固定具を具備する固定手段とを備えた受枠固定用治具であるから、施工時にあって、複数の受枠固定用治具の杆状治具本体を、所定間隔で離間させて、保持受枠の水平受縁と摺動受枠の水平受縁とに上方から夫々宛がうとともに、固定手段により各杆状治具本体の所定位置に保持受枠と摺動受枠とを夫々固定することにより、該保持受枠と摺動受枠とを所定間隔で同一平面上に位置させて固定することができる。これにより、保持受枠と摺動受枠相互のレベル調整が不要となり、作業能率を大幅に向上させることができる。
【００１４】
また、固定手段が、杆状治具本体に形成された挿通孔と、溝を介して対向する上部片と下部片とにより断面略Ｕ字形に形成され、上部片に螺進作用を介して溝内に出没する固定ピンが上下方向に螺装された固定具とからなり、前記挿通孔から挿通して杆状治具本体の下面側に配置した下部片を保持受枠の水平受縁または摺動受枠の水平受縁の下面に宛がった状態で、固定ピンを螺進させることにより、該固定ピンの先端と下部片との間に、挿通孔の口縁部と保持受枠の水平受縁または摺動受枠の水平受縁とを挟持して固定するようにした構成にあっては、上方から着脱操作可能な固定具を備えた固定手段として優れた操作性を得ることができる。
【００１５】
また、摺動受枠が、目地幅方向に沿って複数個に分割されている構成にあっては、従来のように摺動受枠が出荷の搬送時において嵩張ることがなく、その取扱い性を向上させることができる。
【発明を実施するための最良の形態】
【００１６】
先ず、第一実施例にかかる受枠固定用治具１８Ａ（図７参照）が適用される床用目地カバー装置について説明する。
図１において、Ａは緩衝機能を備えた免震装置（図示省略）によって下部が支持された免震構造の建物からなる建造物、Ｂは該建造物Ａの周囲に形成された人工地盤からなる建造物であって、目地ｓを介して隣接している。目地ｓは、建造物Ａの周囲に沿って所定幅で形成され、地震時における建造物Ａと周囲の建造物Ｂとの水平方向の相対的な揺れを吸収し得るようになっている。
【００１７】
建造物Ａの床ｆ1 と建造物Ｂの床ｆ2 の間には、カバー体Ｃが差し渡され、目地ｓを覆っている。該カバー体Ｃは、目地ｓに沿う方向に複数個が連続状に配設されるものであって、各カバー体Ｃは、その一端が建造物Ａの床ｆ1 の側縁に後述する連結手段１５を介して連結されている。また、各カバー体Ｃは、他端を自由端としており、該自由端が建造物Ｂの床ｆ2 の側縁に摺動可能に乗載されている。
【００１８】
前記建造物Ｂの床ｆ2 の側縁には、カバー体Ｃの厚みに相当する深さで窪ませた支持段縁１（図４参照）が、目地ｓの幅方向（図１において左右方向）に所定幅で形成されており、該支持段縁１の前端稜部には水平受縁２ａを備えた前部摺動受枠２が配設されている。また、該支持段縁１の後端側には、第一水平受縁３ａの後端に傾斜受縁３ｂを介して第二水平受縁３ｃが連成され、さらに該第二水平受縁３ｃの後端に床ｆ2 の上面に向けて上方傾斜する傾斜受縁３ｄが連成された後部摺動受枠３が配設されている。ここで、前部摺動受枠２と後部摺動受枠３は、カバー体Ｃの自由端を支承する摺動受枠が目地ｓの幅方向に沿って前後に分割されたものであり、該前部摺動受枠２と後部摺動受枠３とによって本発明の摺動受枠が構成されている。このように、摺動受枠を前後に分割することにより、施工時において、該摺動受枠の下部へのモルタル８の打設を容易に行い得るようにしている。
【００１９】
前記第二水平受縁３ｃの深さは、カバー体Ｃを構成する端部カバー板７の前端部分に斜め下方に曲成された屈曲端７ａの上下幅に相当する深さに設定されている。これにより、カバー体Ｃの上面が床ｆ2 の上面と略面一となるようにしている。この前部摺動受枠２と後部摺動受枠３は、目地ｓに沿う方向（図１において前後方向）に延在するように配設されており、その長さは、複数個のカバー体Ｃを並列させて配置した状態において、その両端に位置するカバー体Ｃ，Ｃの側方に、該カバー体Ｃ，Ｃが目地ｓに沿う方向に摺動し得る作動空隙が夫々生じる所定の長さに設定されている。尚、後部摺動受枠３は、図２に示すように、前記傾斜受縁３ｂに代えて第一水平受縁３ａの後端に略直角に立ち上がる立ち上がり縁３ｅを備えた形態であってもよい。
【００２０】
各カバー体Ｃは、所定の厚みを備え、平面視矩形状に形成されており、前記自由端にその下面から外端上面に向けて傾斜する傾斜端縁４を備えている。各カバー体Ｃの自由端は、該傾斜端縁４と上述した後部摺動受枠３の傾斜受縁３ｂ（図１参照）または立ち上がり縁３ｅ（図２参照）との間に適宜幅の空隙が生じるようにして前部摺動受枠２の水平受縁２ａ及び後部摺動受枠３の第一水平受縁３ａが配設された支持段縁１上に乗載されており、前記空隙を作動空隙６としている。また、カバー体Ｃの前端に設けられた端部カバー板７は、建造物Ｂの床ｆ2 側に向けて突出されて、その前端部分の屈曲端７ａが後部摺動受枠３の第二水平受縁３ｃ上に乗載されており、この端部カバー板７によって前記作動空隙６の上方が遮蔽されている。カバー体Ｃ内には、施工時に周囲の床ｆ1 ，ｆ2（図１参照）上に打設されるモルタル８及びタイル（図示省略）等からなる舗装材と同じ舗装材が充填されている。尚、カバー体Ｃは、このような充填タイプに限定されるものではなく、グレーチング等からなる剛性基体上に天板を備えたものやその他の構成からなるものであってもよい。
【００２１】
一方、建造物Ａの床ｆ1 の側縁上には、目地ｓに沿う方向に延在するようにして保持受枠９が配設されている。該保持受枠９は、図３に示すように、水平受縁９ａと垂直縁９ｂとを備えた断面Ｌ形に形成されており、水平受縁９ａの上面に、上述したカバー体Ｃの一端が乗載されている。また、水平受縁９ａには、その下面側から挿通して該水平受縁９ａに固着したボルトからなる複数の連結杆１０が、カバー体Ｃの底板１１の幅方向両側縁近傍位置に形成された一対の挿通孔１２に対応する位置に夫々立設されている。各連結杆１０は、水平受縁９ａ上にカバー体Ｃの一端を乗載した状態において、前記底板１１の挿通孔１２に下方から遊嵌され、その上端にはナットからなる受圧部材１３が螺着されている。また、各連結杆１０には、前記受圧部材１３と底板１１との間に介装するようにしてコイルバネからなる弾発部材１４が圧縮状態で外嵌されており、該弾発部材１４の弾発力によってカバー体Ｃを常時下方に付勢するようにしている。尚、このカバー体Ｃの下方付勢手段としては、コイルバネに代えてゴムリング（図示省略）を用いることも可能である。これにより、建造物Ａの床ｆ1 の側縁に、カバー体Ｃの一端を揺動可能に連結する連結手段１５が構成されている。また、この連結状態において、カバー体Ｃの上面が建造物Ａの床ｆ1 の上面と同一高さとなるようにしている。さらに、挿通孔１２を囲繞するモルタル遮断筒１６の上部は、前記弾発部材１４及び受圧部材１３の取付け操作を可能とする操作口となっており、該操作口には、遮蔽キャップ１７が着脱可能に嵌着されている。
【００２２】
かかる構成からなる床用目地カバー装置の作動態様について説明する。
カバー体Ｃは、その上面が、建造物Ａの床ｆ1 の上面及び建造物Ｂの床ｆ2 の上面と略面一になるように配設されていることにより、常時は、図１に示すように、該カバー体Ｃと、建造物Ａの床ｆ1 または建造物Ｂの床ｆ2 との間に段差が生じることがない。また、地震時において、建造物Ａと、隣接する建造物Ｂとが近接する方向に比較的小さく相対変位すると、カバー体Ｃの自由端が作動空隙６の範囲内で水平に摺動してその相対変位に追従し、さらに大きく相対変位すると、カバー体Ｃは、自由端に形成された傾斜端縁４が、傾斜受縁３ｂ（図１参照）または立ち上がり縁３ｅ（図２参照）の上端に当接してずれ上がり、図４に示すように、連結手段１５により連結された一端を支点として傾動することにより、その相対変位から逃げることができる。
【００２３】
また、建造物Ａと、隣接する建造物Ｂとが離れる方向に相対変位すると、カバー体Ｃは、その自由端が支持段縁１上を、傾斜受縁３ｂ（または立ち上がり縁３ｅ）と逆方向に向けて水平に摺動してその相対変位に追従する。
【００２４】
また、建造物Ａと、隣接する建造物Ｂとが前後方向（目地ｓに沿う方向）に相対変位すると、カバー体Ｃの自由端は、支持段縁１上を前後方向に摺動してその相対変位に追従する。
【００２５】
さらに、建造物Ａと、隣接する建造物Ｂとが上下方向に相対変位すると、カバー体Ｃは、連結手段１５により建造物Ａの床ｆ1 の側縁に連結された一端を支点として、建造物Ａもしくは隣接する建造物Ｂの上下動に伴なって傾動して、その相対変位に追従する。
【００２６】
そして、地震が終って建造物Ａと建造物Ｂとが定常位置に戻ると、これに伴なってカバー体Ｃの自由端も、図１に示した定常位置に戻り、カバー体Ｃが定常状態に復帰する。
【００２７】
次に、本発明の要部にかかる受枠固定用治具の第一実施例を、図５〜図９に基づいて説明する。
受枠固定用治具は、上述した保持受枠９と、前部摺動受枠２及び後部摺動受枠３とを施工時に固定するために用いるものであって、この第一実施例における受枠固定用治具１８Ａは、図５〜図７に示すように、所定長さの杆状治具本体１９と、上方から着脱操作可能な固定具２０を具備する固定手段とを備えている。
【００２８】
杆状治具本体１９は、図５（Ａ）〜（Ｃ）に示すように、帯板状の主杆部２１と、該主杆部２１の両側縁に夫々立設された補強板部２２，２２とにより断面コ字形に形成されている。該杆状治具本体１９の材質には、所定の強度を備えたスチール，ステンレス，アルミニウム等の金属、または硬質合成樹脂が用いられ得る。尚、杆状治具本体１９は、このように断面コ字形の形状に代えて、主杆部２１の一側縁に補強板部２２を立設した断面Ｌ字形にすることも可能である。
【００２９】
主杆部２１には、保持受枠９と、前部摺動受枠２とを固定する位置に、主杆部２１の表裏面を貫通する矩形状の挿通孔２２ａ，２２ａが形成されており、後部摺動受枠３を固定する位置には、主杆部２１の表裏面を貫通する円形の挿通孔２２ｂが形成されている。前記矩形状の挿通孔２２ａ，２２ａには、主杆部２１の長手方向に対応する孔端に、後述する固定具２０の下部片２６ｂを挿通する方向を示すＶ形に切欠した方向指標部２３（図５（Ｄ）参照）が形成されており、また、この方向指標部２３が形成された各挿通孔２２ａ，２２ａの孔端位置は、保持受枠９と前部摺動受枠２の適正な固定位置に一致するように設定されている。これにより、図５（Ｄ）に示すように、方向指標部２３が形成された各挿通孔２２ａ，２２ａの孔端位置に、保持受枠９の水平受縁９ａ及び前部摺動受枠２の水平受縁２ａの挟持側一端縁２４を一致させることにより、該保持受枠９と前部摺動受枠２の適正な固定位置が知得できるようになっている。尚、前記方向指標部２３は、各挿通孔２２ａ，２２ａの孔端をＶ形に切欠する形態に代えて、各挿通孔２２ａ，２２ａに近い主杆部２１の上面に矢印等を刻設或いは描いて設けることも可能である。
【００３０】
一方、前記固定具２０は、図６に示すように、一方が開放された溝２５を介して上下で対向する上部片２６ａと下部片２６ｂとにより断面略Ｕ字形に形成され、その上部片２６ａには螺進作用を介して溝２５内に出没する固定ピン２７が上下方向に螺装されている。ここで、前記上部片２６ａと下部片２６ｂの間隔は、主杆部２１の厚みと、保持受枠９の水平受縁９ａの厚みまたは前部摺動受枠２の水平受縁２ａの厚みとを加えた寸法以上に設定されており、これによって、図７（Ｂ）に示すように、主杆部２１と、保持受枠９の水平受縁９ａまたは前部摺動受枠２の水平受縁２ａとを溝２５内に嵌挿した状態で、固定ピン２７を螺進させて両者を緊締し得るようになっている。
【００３１】
また、後部摺動受枠３の第一水平受縁３ａには螺子孔２８（図７（Ｂ）参照）が形成されており、該螺子孔２８に、上述した主杆部２１の挿通孔２２ｂに上方から挿通させた螺子２９を螺合させることにより、杆状治具本体１９の所定位置に後部摺動受枠３を固定し得るようになっている。尚、後部摺動受枠３の第一水平受縁３ａに螺子孔２８を予め形成しておく構成に代えて、螺子２９にタッピング螺子を用いることにより、施工時に第一水平受縁３ａに螺子孔を形成し乍ら締め付けるようにすることも可能である。
【００３２】
そして、この螺子２９または前記固定具２０と、前記挿通孔２２ａ，２２ｂとによって杆状治具本体１９の所定位置に、保持受枠９と、前部摺動受枠２及び後部摺動受枠３とを夫々固定する固定手段が構成されている。
【００３３】
尚、後部摺動受枠３が、第一水平受縁３ａの前端に下方に屈曲した屈曲縁３ｆ（図７参照）を備えていない場合には、図８に示すように、後部摺動受枠３を固定する位置に主杆部２１の表裏面を貫通する矩形状の挿通孔２２ｃを形成し、該挿通孔２２ｃと上述した固定具２０とによって、杆状治具本体１９の所定位置に後部摺動受枠３を固定するようにしてもよい。
【００３４】
次に、上述した受枠固定用治具１８Ａの使用方法について説明する。
施工時にあって、図９に示すように、保持受枠９と前部摺動受枠２及び後部摺動受枠３とを平行に配置するとともに、これらに直交する方向に複数の受枠固定用治具１８Ａの杆状治具本体１９を所定間隔で離間させて配置し、その各主杆部２１を保持受枠９の水平受縁９ａと、前部摺動受枠２の水平受縁２ａ及び後部摺動受枠３の第一水平受縁３ａとに上方から夫々宛がう。この時、図５（Ｄ）に示すように、各主杆部２１の挿通孔２２ａ，２２ａの方向指標部２３が形成された孔端位置に、保持受枠９及び前部摺動受枠２の各挟持側一端縁２４を一致させて、該保持受枠９と前部摺動受枠２の適正な固定位置を知得する。次いで、各固定具２０の下部片２６ｂを前記挿通孔２２ａ，２２ａ内へ方向指標部２３が示す方向に従って挿通し、図７（Ｂ）に示すように、該下部片２６ｂを保持受枠９の水平受縁９ａ及び前部摺動受枠２の水平受縁２ａの下面に宛がって、この状態で固定ピン２７を螺進させることにより、その緊締作用を介して該固定ピン２７の先端と下部片２６ｂとの間に、挿通孔２２ａ，２２ａの口縁部と、保持受枠９の水平受縁９ａまたは前部摺動受枠２の水平受縁２ａとを夫々挟持させる。一方、後部摺動受枠３の第一水平受縁３ａは、該第一水平受縁３ａに形成された螺子孔２８（図７（Ｂ）参照）に、各主杆部２１の挿通孔２２ｂに上方から挿通させた螺子２９を螺合して緊締させる。これにより、各受枠固定用治具１８Ａによって、保持受枠９と前部摺動受枠２及び後部摺動受枠３とを一体に固定することができる。
【００３５】
そして、このように、各受枠固定用治具１８Ａによって一体に固定された保持受枠９と前部摺動受枠２及び後部摺動受枠３を、床ｆ1 ，ｆ2 を構成するスラブコンクリートｍ1 ，ｍ2 （図１参照）上の同一高さ位置に適宜の保持手段を介して保持した状態で、該スラブコンクリートｍ1 ，ｍ2 に立設された差筋ｎに、保持受枠９と前部摺動受枠２及び後部摺動受枠３の夫々に設けられているアンカー３０を溶接によって接合することにより、該保持受枠９と前部摺動受枠２及び後部摺動受枠３とを前記スラブコンクリートｍ1 ，ｍ2 上に固定する。
【００３６】
然る後、各固定具２０の固定ピン２７を弛緩方向に螺回して、杆状治具本体１９から該固定具２０を取り外すとともに、螺子２９を弛緩方向に螺回して、杆状治具本体１９から該螺子２９を取り外すことにより、各杆状治具本体１９による保持受枠９と前部摺動受枠２及び後部摺動受枠３の固定を解除した後、各杆状治具本体１９を取り外す。このように取り外された各杆状治具本体１９と固定具２０と螺子２９は、再利用が可能であり、次回以降の施工に繰り返し使用することができる。
【００３７】
また、前記差筋ｎにアンカー３０を介して接合された保持受枠９と前部摺動受枠２及び後部摺動受枠３の下部及び周囲には、モルタル８が打設され、床ｆ1 ，ｆ2 が仕上げられる。これにより、該床ｆ1 ，ｆ2 の側縁上に保持受枠９と前部摺動受枠２及び後部摺動受枠３とが配設されることとなる。
【００３８】
かかる構成にあって、上述したように施工時において、複数の受枠固定用治具１８Ａの杆状治具本体１９を所定間隔で離間させた状態で、各杆状治具本体１９を保持受枠９の水平受縁９ａと、前部摺動受枠２の水平受縁２ａ及び後部摺動受枠３の第一水平受縁３ａとに上方から夫々宛がうとともに、固定手段により各杆状治具本体１９の所定位置に保持受枠９と前部摺動受枠２と後部摺動受枠３とを夫々固定することにより、該保持受枠９の水平受縁９ａと、前部摺動受枠２の水平受縁２ａと、後部摺動受枠３の第一水平受縁３ａとを所定間隔で同一平面上に位置させて固定することができる。これにより、保持受枠９と前部摺動受枠２相互のレベル調整が不要となり、作業能率を大幅に向上させることができる。
【００３９】
また、固定手段が、杆状治具本体１９に形成された挿通孔２２ａ，２２ａと、溝２５を介して対向する上部片２６ａと下部片２６ｂとにより断面略Ｕ字形に形成され、上部片２６ａに螺進作用を介して溝２５内に出没する固定ピン２７が上下方向に螺装された固定具２０とからなり、前記挿通孔２２ａ，２２ａから挿通して杆状治具本体１９の下面側に配置した下部片２６ｂを保持受枠９の水平受縁９ａと前部摺動受枠２の水平受縁２ａの下面に宛がった状態で、固定ピン２７を夫々螺進させることにより、該固定ピン２７の先端と下部片２６ｂとの間に、挿通孔２２ａ，２２ａの口縁部と、保持受枠９の水平受縁９ａまたは前部摺動受枠２の水平受縁２ａとを挟持して固定するようにしたことにより、上方から着脱操作可能な固定具２０を備えた固定手段として優れた操作性を得ることができる。
【００４０】
また、摺動受枠を構成する前部摺動受枠２と後部摺動受枠３とが、目地ｓの幅方向に沿って分割されていることにより、出荷の搬送時において嵩張ることがなく、その取扱い性に優れたものとなる。
【００４１】
次に、第二実施例にかかる受枠固定用治具１８Ｂ（図１２参照）が適用される床用目地カバー装置について説明する。この床用目地カバー装置は、図１０に示すように、建造物Ａに目地ｓを介して隣接する建造物Ｂの床ｆ2 が、建造物Ａの床ｆ1 の高さに比して、カバー体Ｃの厚み分だけ低く設定されており、該床ｆ2 の側縁に水平受縁２ａを備えた前部摺動受枠２と、水平受縁３１ａ，３２ａを備え、前後に二分割された後部摺動受枠３１，３２とが配設されている。また、建造物Ａの床ｆ1 と建造物Ｂの床ｆ2 間の目地ｓに差し渡されて該目地ｓを覆う各カバー体Ｃは、その一端が建造物Ａの床ｆ1 の側縁に配設された保持受枠９の水平受縁９ａ上に、上述した連結手段１５を介して揺動可能に連結され、他端の自由端が建造物Ｂの床ｆ2 の側縁に配設された前記前部摺動受枠２と後部摺動受枠３１，３２上に摺動可能に乗載されている。
【００４２】
各カバー体Ｃは、目地を覆う矩形状の主板部３３と、該主板部３３の下面に格子状に配設された複数の突条３５からなる補強リブ部３４とを備えており、該主板部３３と補強リブ部３４とが鋳造により一体形成されている。また、補強リブ部３４を構成する複数の突条３５の内、主板部３３の後端部と前端近傍部及びその中間位置で、目地ｓに沿う方向に延在させて配設された突条３５ａ，３５ｂ，３５ｃの下端は、他の突条３５よりも下方に若干突出した支持端となっている。また、主板部３３は、その前端に下方傾斜するスロープ部３６を備えており、該スロープ部３６の下端も支持端となっている。そして、該スロープ部３６の支持端と、主板部３３の前端近傍部に配設された突条３５ｂの支持端とが後部摺動受枠３１，３２の水平受縁３１ａ，３２ａ上に夫々乗載されており、主板部３３の中間位置に配設された突条３５ｃの支持端は、上述した前部摺動受枠２の水平受縁２ａ上に乗載されている。
【００４３】
この第二実施例における受枠固定用治具１８Ｂは、図１１，図１２に示すように、所定長さの杆状治具本体１９と、上方から着脱操作可能な固定具２０を具備する固定手段とを備えており、固定具２０は上述した第一実施例（図６参照）と同一に構成されている。
【００４４】
杆状治具本体１９は、図１１（Ａ）〜（Ｃ）に示すように、帯板状の主杆部２１と、該主杆部２１の両側縁に夫々立設された補強板部２２，２２とにより断面コ字形に形成されている。該杆状治具本体１９の材質には、所定の強度を備えたスチール，ステンレス，アルミニウム等の金属、または硬質合成樹脂が用いられ得る。尚、杆状治具本体１９は、このように断面コ字形の形状に代えて、主杆部２１の一側縁に補強板部２２を立設した断面Ｌ字形にすることも可能である。
【００４５】
主杆部２１には、保持受枠９と、前部摺動受枠２と、後部摺動受枠３１を固定する位置に、主杆部２１の表裏面を貫通する矩形状の挿通孔２２ａ，２２ａ，２２ａが形成されており、該挿通孔２２ａ，２２ａ，２２ａには、主杆部２１の長手方向に対応する孔端に、固定具２０（図６参照）の下部片２６ｂを挿通する方向を示す方向指標部２３（図１１（Ｃ）参照）が形成されている。また、後部摺動受枠３２を固定する主杆部２１の端縁には方向指標部２３のみが形成されている。また、この方向指標部２３が形成された各挿通孔２２ａ，２２ａ，２２ａの孔端位置及び主杆部２１の端縁が、保持受枠９と前部摺動受枠２及び後部摺動受枠３１，３２の適正な固定位置に一致するように設定されている。これにより、保持受枠９と前部摺動受枠２及び後部摺動受枠３１，３２の適正な固定位置が知得できるようになっている。
【００４６】
その他、第一実施例と共通する構成部分については第一実施例と同一の符号を付して重複説明を省略する。
【００４７】
次に、上述した受枠固定用治具１８Ｂの使用方法について説明する。
施工時にあって、図１３に示すように、保持受枠９と前部摺動受枠２及び後部摺動受枠３１，３２とを平行に配置するとともに、これらに直交する方向に複数の受枠固定用治具１８Ｂの杆状治具本体１９を所定間隔で離間させて配置し、その各主杆部２１を保持受枠９の水平受縁９ａと、前部摺動受枠２の水平受縁２ａ及び後部摺動受枠３１，３２の水平受縁３１ａ，３２ａとに上方から夫々宛がう。この時、各挿通孔２２ａ，２２ａ，２２ａの孔端位置及び主杆部２１の端縁によって、保持受枠９と、前部摺動受枠２及び後部摺動受枠３１，３２の適正な固定位置を知得する。次いで、各固定具２０の下部片２６ｂ（図１２（Ｂ）参照）を、前記挿通孔２２ａ，２２ａ，２２ａ内へ方向指標部２３（図１１（Ｃ）参照）が示す方向に従って挿通し、図１２（Ｂ）に示すように、該下部片２６ｂを保持受枠９の水平受縁９ａ，前部摺動受枠２の水平受縁２ａ及び後部摺動受枠３１の水平受縁３１ａの下面に宛がって、この状態で固定ピン２７を夫々螺進させることにより、その緊締作用を介して該固定ピン２７の先端と下部片２６ｂとの間に、挿通孔２２ａ，２２ａ，２２ａの口縁部と、保持受枠９の水平受縁９ａまたは前部摺動受枠２の水平受縁２ａまたは後部摺動受枠３１の水平受縁３１ａとを夫々挟持させる。一方、後部摺動受枠３２は、主杆部２１の端縁から挿通させた各固定具２０の下部片２６ｂを、水平受縁３２ａの下面に宛がった状態で、固定ピン２７を夫々螺進させることにより、その緊締作用を介して主杆部２１の端縁部分と、後部摺動受枠３２の水平受縁３２ａとを挟持させる。これにより、各受枠固定用治具１８Ｂによって、保持受枠９と前部摺動受枠２及び後部摺動受枠３１，３２とを一体に固定することができる。
【００４８】
かかる構成にあっても、複数の受枠固定用治具１８Ｂを用いて、保持受枠９の水平受縁９ａと、前部摺動受枠２の水平受縁２ａと、後部摺動受枠３１，３２の水平受縁３１ａ，３２ａを所定間隔で同一平面上に位置させて固定することができる。これにより、保持受枠９と前部摺動受枠２相互のレベル調整が不要となり、作業能率を大幅に向上させることができる。
【００４９】
また、固定手段が、杆状治具本体１９に形成された挿通孔２２ａ，２２ａ，２２ａと、溝２５を介して対向する上部片２６ａと下部片２６ｂとにより断面略Ｕ字形に形成され、上部片２６ａに螺進作用を介して溝２５内に出没する固定ピン２７が上下方向に螺装された固定具２０とからなり、前記挿通孔２２ａ，２２ａ，２２ａまたは主杆部２１の端縁から挿通して杆状治具本体１９の下面側に配置した下部片２６ｂを、保持受枠９の水平受縁９ａと、前部摺動受枠２の水平受縁２ａと、後部摺動受枠３１，３２の水平受縁３１ａ，３２ａの下面に宛がった状態で、固定ピン２７を夫々螺進させることにより、該固定ピン２７の先端と下部片２６ｂとの間に、挿通孔２２ａ，２２ａ，２２ａの口縁部または主杆部２１の端縁部分と、保持受枠９の水平受縁９ａまたは前部摺動受枠２の水平受縁２ａまたは後部摺動受枠３１，３２の水平受縁３１ａ，３２ａとを挟持して固定するようにしたことにより、上方から着脱操作可能な固定具２０を備えた固定手段として優れた操作性を得ることができる。
【００５０】
また、摺動受枠を構成する前部摺動受枠２と後部摺動受枠３１，３２とが、目地ｓの幅方向に沿って分割されていることにより、出荷の搬送時において嵩張ることがなく、その取扱い性に優れたものとなる。
【図面の簡単な説明】
【００５１】
【図１】第一実施例にかかる受枠固定用治具１８Ａが適用される床用目地カバー装置の施工状態を示す縦断正面図である。
【図２】立ち上がり縁３ｅを具備する後部摺動受枠３を備えた同上の床用目地カバー装置の施工状態を示す縦断正面図である。
【図３】連結手段１５部分の拡大断面図である。
【図４】カバー体Ｃの作用説明図である。
【図５】第一実施例にかかる受枠固定用治具１８Ａを構成する杆状治具本体１９を示し、（Ａ）は平面図、（Ｂ）は縦断正面図、（Ｃ）は拡大側断面図、（Ｄ）は挿通孔２２ａ部分の拡大平面図である。
【図６】固定具２０を示し、（Ａ）は縦断正面図、（Ｂ）は平面図である。
【図７】受枠固定用治具１８Ａによる保持受枠９と前部摺動受枠２と後部摺動受枠３の固定状態を示し、（Ａ）は縦断正面図、（Ｂ）は中間部分を省略した要部の拡大縦断正面図である。
【図８】固定具２０によって後部摺動受枠３を固定した状態を示す変形実施例の要部の拡大縦断正面図である。
【図９】受枠固定用治具１８Ａによる保持受枠９と前部摺動受枠２と後部摺動受枠３の固定状態を示す平面図である。
【図１０】第二実施例にかかる受枠固定用治具１８Ｂが適用される床用目地カバー装置の施工状態を示す縦断正面図である。
【図１１】第二実施例にかかる受枠固定用治具１８Ｂを構成する杆状治具本体１９を示し、（Ａ）は平面図、（Ｂ）は縦断正面図、（Ｃ）は主杆部２１の端縁部分の拡大平面図である。
【図１２】受枠固定用治具１８Ｂによる保持受枠９と前部摺動受枠２と後部摺動受枠３１，３２の固定状態を示し、（Ａ）は縦断正面図、（Ｂ）は中間部分を省略した要部の拡大縦断正面図である。
【図１３】受枠固定用治具１８Ｂによる保持受枠９と前部摺動受枠２と後部摺動受枠３１，３２の固定状態を示す平面図である。
【図１４】従来構成の床用目地カバー装置の施工状態を示す縦断正面図である。
【図１５】従来の摺動受枠ｄの縦断正面図である。
【図１６】従来の摺動受枠ｄの平面図である。
【符号の説明】
【００５２】
Ａ  建造物
Ｂ  建造物
Ｃ  カバー体
ｆ1  床
ｆ2  床
ｓ  目地
２  前部摺動受枠（摺動受枠）
２ａ  水平受縁
３  後部摺動受枠（摺動受枠）
３ａ  第一水平受縁
９  保持受枠
９ａ  水平受縁
１５  連結手段  
１８Ａ，１８Ｂ  受枠固定用治具
１９  杆状治具本体
２０  固定具（固定手段）
２２ａ〜２２ｅ  挿通孔（固定手段）
２５  溝
２６ａ  上部片
２６ｂ  下部片
２７  固定ピン
３１  後部摺動受枠（摺動受枠）
３１ａ  水平受縁
３２  後部摺動受枠（摺動受枠）
３２ａ  水平受縁
【図１】
0005322488.tif 000002
【図２】
0005322488.tif 000003
【図３】
0005322488.tif 000004
【図４】
0005322488.tif 000005
【図５】
0005322488.tif 000006
【図６】
0005322488.tif 000007
【図７】
0005322488.tif 000008
【図８】
0005322488.tif 000009
【図９】
0005322488.tif 000010
【図１０】
0005322488.tif 000011
【図１１】
0005322488.tif 000012
【図１２】
0005322488.tif 000013
【図１３】
0005322488.tif 000014
【図１４】
0005322488.tif 000015
【図１５】
0005322488.tif 000016
【図１６】
0005322488.tif 000017